【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
複数の画像を順次切り替えて表示することが可能な画像処理装置において、
表示部に表示する画像を所定の遷移期間で、前記第１画像から前記第２画像へ徐々に遷移させて切り替える際に、前記所定の遷移期間において、前記第１画像及び前記第２画像を、前記第１画像の透過率が徐々に減少し、前記第２画像の透過率が徐々に増加するように合成して出力する処理を行う処理手段と、
前記第１画像の固有視差量と前記第２画像の固有視差量とを取得する取得手段と、
前記所定の遷移期間において、前記取得手段で取得した前記第１画像の固有視差量と前記第２画像の固有視差量とに基づいて、前記第１画像を表示する際に用いる表示視差量及び前記第２画像を表示する際に用いる表示視差量を調整する調整手段と、を有し、
前記調整手段は、前記第１画像の表示視差量が、前記第１画像の固有視差量から所定の視差量まで徐々に減少し、前記第２画像の表示視差量が、所定の視差量から前記第２画像の固有視差量まで徐々に増加するように、前記第１画像及び前記第２画像の表示視差量を調整することを特徴とする画像処理装置。
【請求項２】
複数の画像を順次切り替えて表示することが可能な画像処理装置において、
表示部に表示する画像を所定の遷移期間で、前記第１画像から前記第２画像へ徐々に遷移させて切り替える際に、前記所定の遷移期間において、前記第１画像及び前記第２画像を、前記第１画像の透過率が徐々に減少し、前記第２画像の透過率が徐々に増加するように合成して出力する処理を行う処理手段と、
前記第１画像の固有視差量と前記第２画像の固有視差量とを取得する取得手段と、
前記所定の遷移期間において、前記取得手段で取得した前記第１画像の固有視差量と前記第２画像の固有視差量とに基づいて、前記第１画像を表示する際に用いる表示視差量及び前記第２画像を表示する際に用いる表示視差量を調整する調整手段と、を有し、
前記調整手段は、前記第１画像の表示視差量が、前記第１画像の固有視差量から所定の視差量まで徐々に減少し、前記第２画像の表示視差量が、前記所定の遷移期間の開始時における前記第１画像の表示視差量から、前記第２画像の固有視差量まで徐々に変化するように、前記第１画像及び前記第２画像の表示視差量を調整することを特徴とする画像処理装置。
【請求項３】
前記所定の遷移期間において、前記調整手段は、前記第１画像の表示視差量が、前記第１画像の固有視差量から視差量がゼロになるまで徐々に変化するように前記第１画像の表示視差量の調整を行うことを特徴とする請求項１又は２に記載の画像処理装置。
【請求項４】
前記所定の遷移期間において、前記調整手段は、前記第２画像の表示視差量がゼロから前記第２画像の固有視差量まで徐々に増加するように前記第２画像の表示視差量の調整を行うことを特徴とする請求項１に記載の画像処理装置。
【請求項５】
前記取得手段は、前記第１画像内で最もユーザに近い位置に存在するように立体視される第１対象物の固有視差量と、前記第２画像内で最もユーザに近い位置に存在するように立体視される第２対象物の固有視差量とを取得し、
前記調整手段は、前記所定の遷移期間において、前記第１画像内の前記第１対象物の表示視差量、及び前記第２画像内の前記第２対象物の表示視差量を調整することを特徴とする請求項１乃至４の何れか一項に記載の画像処理装置。
【請求項６】
複数の画像を順次切り替えて表示することが可能な画像処理装置の制御方法において、
表示部に表示する画像を所定の遷移期間で、前記第１画像から前記第２画像へ徐々に遷移させて切り替える際に、前記所定の遷移期間において、前記第１画像及び前記第２画像を、前記第１画像の透過率が徐々に減少し、前記第２画像の透過率が徐々に増加するように合成して出力する処理を行う処理ステップと、
前記第１画像の固有視差量と前記第２画像の固有視差量とを取得する取得ステップと、
前記所定の遷移期間において、前記取得ステップで取得した前記第１画像の固有視差量と前記第２画像の固有視差量とに基づいて、前記第１画像を表示する際に用いる表示視差量及び前記第２画像を表示する際に用いる表示視差量を調整する調整ステップと、を有し、
前記調整ステップでは、前記第１画像の表示視差量が、前記第１画像の固有視差量から所定の視差量まで徐々に減少し、前記第２画像の表示視差量が、所定の視差量から前記第２画像の固有視差量まで徐々に増加するように、前記第１画像及び前記第２画像の表示視差量を調整することを特徴とする画像処理装置の制御方法。
【請求項７】
複数の画像を順次切り替えて表示することが可能な画像処理装置の制御方法において、
表示部に表示する画像を所定の遷移期間で、前記第１画像から前記第２画像へ徐々に遷移させて切り替える際に、前記所定の遷移期間において、前記第１画像及び前記第２画像を、前記第１画像の透過率が徐々に減少し、前記第２画像の透過率が徐々に増加するように合成して出力する処理を行う処理ステップと、
前記第１画像の固有視差量と前記第２画像の固有視差量とを取得する取得ステップと、
前記所定の遷移期間において、前記取得ステップで取得した前記第１画像の固有視差量と前記第２画像の固有視差量とに基づいて、前記第１画像を表示する際に用いる表示視差量及び前記第２画像を表示する際に用いる表示視差量を調整する調整ステップと、を有し、
前記調整ステップでは、前記第１画像の表示視差量が、前記第１画像の固有視差量から所定の視差量まで徐々に減少し、前記第２画像の表示視差量が、前記所定の遷移期間の開始時における前記第１画像の表示視差量から、前記第２画像の固有視差量まで徐々に変化するように、前記第１画像及び前記第２画像の表示視差量を調整することを特徴とする画像処理装置の制御方法。
【請求項８】
前記所定の遷移期間において、前記調整ステップでは、前記第１画像の表示視差量が、前記第１画像の固有視差量から視差量がゼロになるまで徐々に変化するように前記第１画像の表示視差量の調整を行うことを特徴とする請求項６又は７に記載の画像処理装置の制御方法。
【請求項９】
前記所定の遷移期間において、前記調整ステップでは、前記第２画像の表示視差量がゼロから前記第２画像の固有視差量まで徐々に増加するように前記第２画像の表示視差量の調整を行うことを特徴とする請求項６に記載の画像処理装置の制御方法。
【請求項１０】
前記取得ステップでは、前記第１画像内で最もユーザに近い位置に存在するように立体視される第１対象物の固有視差量と、前記第２画像内で最もユーザに近い位置に存在するように立体視される第２対象物の固有視差量とを取得し、
前記調整ステップでは、前記所定の遷移期間において、前記第１画像内の前記第１対象物の表示視差量、及び前記第２画像内の前記第２対象物の表示視差量を調整することを特徴とする請求項６乃至９の何れか一項に記載の画像処理装置の制御方法。
【手続補正２】
【補正対象書類名】明細書
【補正対象項目名】００１０
【補正方法】変更
【補正の内容】
【００１０】
上記目的を達成するために、本発明の画像処理装置は、表示部に表示する画像を所定の遷移期間で、前記第１画像から前記第２画像へ徐々に遷移させて切り替える際に、前記所定の遷移期間において、前記第１画像及び前記第２画像を、前記第１画像の透過率が徐々に減少し、前記第２画像の透過率が徐々に増加するように合成して出力する処理を行う処理手段と、前記第１画像の固有視差量と前記第２画像の固有視差量とを取得する取得手段と、前記所定の遷移期間において、前記取得手段で取得した前記第１画像の固有視差量と前記第２画像の固有視差量とに基づいて、前記第１画像を表示する際に用いる表示視差量及び前記第２画像を表示する際に用いる表示視差量を調整する調整手段と、を有し、前記調整手段は、前記第１画像の表示視差量が、前記第１画像の固有視差量から所定の視差量まで徐々に減少し、前記第２画像の表示視差量が、所定の視差量から前記第２画像の固有視差量まで徐々に増加するように、前記第１画像及び前記第２画像の表示視差量を調整することを特徴とする。